(57)【要約】      （修正有）【課題】水平方向に音を十分に拡散させ、かつ下方向にも広がりのある音を出力することができるスピーカ装置用スタンドを提供する。【解決手段】拡散板は、下部枠体１２の中心位置から放射状に並べられた輪形状の板状部材１４１Ａ、板状部材１４１Ｂ、および板状部材１４１Ｃからなる。これら板状部材１４１Ａ、板状部材１４１Ｂ、板状部材１４１Ｃ、および板状部材１４１Ｄは、それぞれ主面がスピーカの放音方向に対して外周方向に角度θ（θ＜９０°）だけ傾斜してスリット状に並べられている。【選択図】図３
2015029176.tif 000002
【特許請求の範囲】
【請求項１】
スピーカ装置の筐体の下側に設けられるスピーカ装置用のスタンドであって、
前記筐体内に下向きに設置されたスピーカの下側に設けられ、
前記スピーカの放音方向に対して傾斜した方向に主面を有する複数の板状部材を備え、
前記複数の板状部材がスリット状に並べられることにより拡散板が形成されていることを特徴とするスピーカ装置用スタンド。
【請求項２】
前記拡散板の下側にスペーサが設けられていることを特徴とする請求項１に記載のスピーカ装置用スタンド。
【請求項３】
前記拡散板は、放射状に並べられた複数の板状部材からなる請求項１または請求項２に記載のスピーカ装置用スタンド。
【請求項４】
前記拡散板は、前記筐体の下面から所定距離だけ離れ、
側面が開口した状態になっていることを特徴とする請求項１乃至請求項３のいずれかに記載のスピーカ装置用スタンド。
【発明の詳細な説明】
【技術分野】
【０００１】
この発明は、スピーカ装置用のスタンドに関し、特に筐体内に下向きに設置されたスピーカの音を拡散させるものに関する。
【背景技術】
【０００２】
従来、筐体内に下向きにスピーカを設置したスピーカ装置が提案されている（例えば、特許文献１，２を参照）。
【０００３】
これらのスピーカ装置は、スピーカの下に円錐形の反射板が設けられている。スピーカから出た音は、反射板に反射して水平方向に拡散される。これにより、従来のスピーカ装置は、スピーカを下向きに設置した場合であっても、水平方向の全方位に均等に音を出力することができる。
【先行技術文献】
【特許文献】
【０００４】
【特許文献１】特開２００７−２７８３８号公報
【特許文献２】特開２００７−１７４２７１号公報
【発明の概要】
【発明が解決しようとする課題】
【０００５】
しかし、従来のスピーカ装置では、スピーカと反射板との距離が短い場合には音が十分に拡散しないという課題がある。スピーカと反射板との距離をある程度長くすると、スタンドが大型化してしまう。
【０００６】
また、従来のスピーカ装置では、反射板がスピーカからの音圧を全て受けることになり、反射板自体が振動して余分な音が発生する可能性がある。
【０００７】
また、従来のスピーカ装置は、水平方向に音を拡散させることができるが、下方向には反射板が存在するため、下方向に音を出力することができない。したがって、例えば、筐体を壁面に設置した際には、下方向への音の広がりが少なくなる。
【０００８】
そこで、この発明は、水平方向に音を十分に拡散させ、かつ下方向にも広がりのある音を出力することができるスピーカ装置用スタンドを提供することを目的とする。
【課題を解決するための手段】
【０００９】
本発明のスピーカ装置用スタンドは、スピーカ装置の筐体の下側に設けられるスピーカ装置用のスタンドであって、前記筐体内に下向きに設置されたスピーカの下側に設けられ、前記スピーカの放音方向に対して傾斜した方向に主面を有する板状部材を備え、前記板状部材がスリット状に複数並べられることにより拡散板が形成されていることを特徴とする。
【００１０】
これにより、スピーカから出力された音は、板状部材の間を抜けて、下方向に拡散することになり、筐体の背面を壁面に設置した場合に下方向への音の広がりを阻害することがない。また、スピーカ装置を床やラック等の水平な設置面に設置した場合でも、板状部材の間を抜けて水平方向に音を拡散することもでき、スピーカと拡散板との距離が短くとも、音が十分に拡散することになる。また、スピーカからの音は、板状部材の間を抜けるため、拡散板がスピーカからの音圧を全て受けることがなく、拡散板自体が振動して余分な音が発生することがない。
【００１１】
また、拡散板の下側にスペーサを設けることで、拡散板と設置面との間に空間を形成し、当該空間から音を拡散させることが好ましいが、例えば拡散板（または拡散板の回りの枠体）の下面に突起を設けることで設置面との間に空間を形成することも可能である。
【００１２】
また、拡散板は、放射状に並べられた複数の板状部材からなることが好ましい。主面が傾斜した板状部材を放射状に並べることで、スピーカから出力された音を均一に周囲に拡散させることができる。
【００１３】
また、拡散板は、前記筐体の下面から所定距離だけ離れ、スタンドの側面が開口した状態になっていることが好ましい。
【発明の効果】
【００１４】
本発明によれば、水平方向に音を十分に拡散させ、かつ下方向にも広がりのある音を出力することができる。
【図面の簡単な説明】
【００１５】
【図１】図１（Ａ）はスピーカ装置の外観斜視図であり、図１（Ｂ）および図１（Ｃ）は側面（一部透過）図である。
【図２】スタンドおよびスピーカの斜視図である。
【図３】スタンドの平面図および断面図である。
【図４】変形例に係るスタンドの平面図である。
【図５】変形例に係るスタンドの平面図である。
【発明を実施するための形態】
【００１６】
図１（Ａ）は、スピーカ装置の外観斜視図である。本実施形態では、テレビ１００の下方に設置して使用するスピーカ装置１０を示す。
【００１７】
スピーカ装置１０は、幅方向に長い直方体形状の筐体を有している。スピーカ装置１０の下側には、複数（同図においては２つ）のスタンド１が設けられている。
【００１８】
スピーカ装置１０は、図１（Ｂ）および図１（Ｃ）に示すように、筐体内部にスピーカ５０が設置されている。スピーカ５０は、スタンド１の上側に、放音方向が下向きにして設けられている。このように、筐体内部において放音方向が下向きに設置されたスピーカ５０を設けることで、スピーカ装置１０の筐体の高さが低く抑えられている。
【００１９】
また、スピーカ装置１０は、図１（Ａ）に示すように、筐体正面の中央部に複数のスピーカ（この例では８個）が配列されたスピーカアレイ１０１が設置されている。スピーカアレイ１０１の各スピーカから音を出力すると、所定方向に強い指向性を有する音声ビームが形成される。スピーカ装置１０は、各スピーカから出力する音の遅延量を制御することで、音声ビームの方向を制御する。スピーカアレイ１０１の各スピーカは小型であるため、低域（例えば２００Ｈｚ以下）の音を出力することができない。したがって、スピーカ５０は、スピーカアレイ１０１では出力することのできない低域の音を補うために設置されている。
【００２０】
スピーカ装置１０は、テレビ１００等の外部装置と接続され、外部装置から入力したオーディオ信号に基づく音をスピーカ５０から出力する。
【００２１】
スピーカ装置１０は、図１（Ｂ）に示すように、スタンド１によって、テレビ前方の床やラック等の水平な設置面に設置される。スタンド１は、図１（Ｂ）に示すように水平な設置面に設置される場合には、スピーカ装置１０を支持しつつ、スピーカ５０の出力する音を水平方向に拡散させる。
【００２２】
また、スピーカ装置１０は、図１（Ｃ）に示すように、筐体背面が壁面に設置される場合もある。この場合、スタンド１は、スピーカ５０の出力する音を水平方向に拡散させつつ、下方向（スピーカ５０の放音方向）にも通過させる。
【００２３】
以下、スタンド１の具体的な構造について説明する。図２は、スタンド１およびスピーカ５０の斜視図である。図３（Ａ）は、スタンド１の平面図であり、図３（Ｂ）は、断面図（図３（Ａ）に示すＡ−Ａの断面図）である。
【００２４】
図２に示すように、スタンド１は、上部枠体１１、下部枠体１２、支柱１３、拡散板１４、およびスペーサ１５からなる。
【００２５】
上部枠体１１は、上下方向に薄い板状の部材であり、平面視して中央部が開口した輪形状である。ただし、上部枠体１１のうち筐体の背面側は、直線状の部分となっている。この直線状の部分は、筐体背面と面一になっている。上部枠体１１の上面側のうち中央部の開口部分にスピーカ５０が配置される。スピーカ５０の放音方向は、下向きになっているため、スピーカ５０から出力された音が当該開口部分から下側に抜けるようになっている。
【００２６】
下部枠体１２は、上部枠体１１と同じく上下方向に薄い板状の部材である。下部枠体１２のうち筐体の背面側も、直線状の部分となっており、筐体背面と面一になっている。
【００２７】
上部枠体１１の下面、および下部枠体１２の上面は、複数（同図においては４つ）の支柱１３で接続されている。したがって、上部枠体１１と下部枠体１２との間は、所定距離ｈだけ離れ、スタンド１の側面が開口した状態となる。ただし、開口した側面は、スピーカ５０を保護しつつ音響的に阻害しないように、パンチングメタル等の保護部材で覆われることが好ましい。
【００２８】
そして、下部枠体１２の中央部には、拡散板１４が配置されている。拡散板１４は、スピーカの放音方向に対して傾斜した方向に主面（上下面）を有する複数の板状部材からなる。
【００２９】
図３（Ａ）および図３（Ｂ）を参照して拡散板１４について詳細に説明する。拡散板１４は、下部枠体１２の中心付近から放射状に並べられた輪形状の板状部材１４１Ａ、板状部材１４１Ｂ、および板状部材１４１Ｃからなる。ただし、板状部材１４１Ａは、中心部分が開口していない円錐台形状となっている。
【００３０】
これら板状部材１４１Ａ、板状部材１４１Ｂ、板状部材１４１Ｃ、および板状部材１４１Ｄは、それぞれ主面がスピーカ５０の放音方向に対して外周方向に角度θ（θ＜９０°）だけ傾斜して並べられている。また、板状部材１４１Ｄの外側は、下部枠体１２の一部である傾斜部分１２１Ｅが、スピーカ５０の放音方向に対して角度θだけ傾斜して配置されている。
【００３１】
板状部材１４１Ａ、板状部材１４１Ｂ、板状部材１４１Ｃ、板状部材１４１Ｄ、および傾斜部分１２１Ｅは、それぞれ複数のフレーム１４２によって接続されている。なお、拡散板１４の各種構成（板状部材１４１Ａ、板状部材１４１Ｂ、板状部材１４１Ｃ、板状部材１４１Ｄ、およびフレーム１４２）と、下部枠体とは、樹脂により一体成型されているが、それぞれの部材を別体としてもよい。
【００３２】
これにより、板状部材１４１Ａ、板状部材１４１Ｂ、板状部材１４１Ｃ、板状部材１４１Ｄ、および傾斜部分１２１Ｅは、それぞれ所定距離ｄだけ離れてスリット状に並べられることになる。
【００３３】
また、図２に示したように、下部枠体１２の下面には、複数（同図においては３つ）のスペーサ１５が配置されている。スペーサ１５は、上下方向に薄い形状のゴム部材であり、下部枠体１２の下面に接着剤等で貼り付けられる。
【００３４】
このスペーサ１５により、スタンド１が水平な設置面に設置された場合に、下部枠体１２と設置面との間に空間が形成される。なお、スペーサ１５は、必須ではなく、例えば下部枠体１２または拡散板１４の下面に突起を設けることで設置面との間に空間を形成することも可能である。
【００３５】
したがって、スピーカ５０から出力された音は、板状部材１４１Ａ、板状部材１４１Ｂ、板状部材１４１Ｃ、板状部材１４１Ｄ、および傾斜部分１２１Ｅのそれぞれの間を抜けて、下部枠体１２と設置面との間に形成された空間から周囲に拡散することになる。また、スピーカ５０から出力された音は、上部枠体１１と下部枠体１２との間における側面（スタンド１の開口側面）からも周囲に拡散する。
【００３６】
また、図１（Ｃ）のように筐体背面が壁面に設置される場合も、スピーカ５０から出力された音は、板状部材１４１Ａ、板状部材１４１Ｂ、板状部材１４１Ｃ、板状部材１４１Ｄ、および傾斜部分１２１Ｅのそれぞれの間を抜けて、下方向に拡散することになる。この場合も、スピーカ５０から出力された音は、上部枠体１１と下部枠体１２との間における側面（スタンド１の開口側面）からも周囲に拡散する。
【００３７】
このように、スタンド１は、スピーカ装置１０を壁面に設置した場合も水平な設置面に設置した場合も、スピーカから出力された音を周囲に拡散させることができる。また、スピーカから出力された音が、板状部材１４１Ａ、板状部材１４１Ｂ、板状部材１４１Ｃ、板状部材１４１Ｄ、および傾斜部分１２１Ｅの間を抜けるため、拡散板１４がスピーカからの音圧を全て受けることがなく、拡散板１４自体が振動して余分な音が発生することがない。
【００３８】
また、板状部材１４１Ａ、板状部材１４１Ｂ、板状部材１４１Ｃ、板状部材１４１Ｄ、および傾斜部分１２１Ｅは、それぞれ主面がスピーカ５０の放音方向に対して外周方向に角度θだけ傾斜して放射状に並べられているため、スタンド１の側面から設置面が見えないようになっている。これにより、例えばスピーカ装置１０およびスタンド１の色と設置面の色が異なる場合であっても、スタンド１から設置面が透けて見えないようになるため、外観上の美観を損ねることがない。
【００３９】
また、本実施形態では、以下の様な変形例も可能である。
図４（Ａ）は、変形例１に係るスタンド１Ａの平面図である。図３と共通する構成については同一の符号を付し、説明を省略する。スタンド１Ａは、図３に示したスタンド１に対して、上部枠体１１および下部枠体１２のうち側面が、切り取られた直線状の部分となっている。したがって、図３のスタンド１に対して、左右方向に短い形状とすることができる。このスタンド１Ａも、スピーカ５０から出力された音を周囲に拡散させることができる。このように、スタンドの形状と拡散板の形状が異なっていてもよい。
【００４０】
図４（Ｂ）は、変形例２に係るスタンド１Ｂの平面図である。図３と共通する構成については同一の符号を付し、説明を省略する。スタンド１Ｂは、図３に示したスタンド１に対して、上部枠体１１、下部枠体１２、板状部材１４１Ａ、板状部材１４１Ｂ、板状部材１４１Ｃ、板状部材１４１Ｄ、および傾斜部分１２１Ｅが、楕円形状（ただし、上部枠体１１および下部枠体１２の筐体の背面側は、直線状の部分となっている。）となっている。したがって、図３のスタンド１に対して、正面方向（スピーカ装置の奥行き方向）に短い形状とすることができる。このスタンド１Ｂも、スピーカ５０から出力された音を周囲に拡散させることができる。
【００４１】
また、図５（Ａ）の変形例３に示すように、平面視して長方形状の板状部材を配置するスタンド１Ｃのような態様も可能であるし、図５（Ｂ）の変形例４に示すように、平面視して多角形状（この例では５角形状）の板状部材を放射状に配置するスタンド１Ｄのような態様も可能である。
【符号の説明】
【００４２】
１…スタンド
１０…スピーカ装置
１１…上部枠体
１２…下部枠体
１３…支柱
１４…拡散板
１５…スペーサ
５０…スピーカ
１００…テレビ
１２１Ｅ…傾斜部分
１４１Ａ，１４１Ｂ，１４１Ｃ，１４１Ｄ…板状部材
【図１】
2015029176.tif 000003
【図２】
2015029176.tif 000004
【図３】
2015029176.tif 000005
【図４】
2015029176.tif 000006
【図５】
2015029176.tif 000007